Podtech/llm-jp-corpus-v4-ja_patent huggingface dataset:
【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  予め定められた複数のパターンから選択されたパターンを識別し、
前記識別された選択パターンに対応する枚数を判断し、
画像の選択状態を識別し、
前記識別された選択状態の画像の枚数と、前記判断された選択パターンに対応する枚数とを比較し、
前記比較結果を出力することを特徴とする画像処理方法。
【請求項２】  前記比較の結果、選択状態の画像の枚数が、選択パターンに対応する枚数に満たない場合に、その旨報知する情報を出力することを特徴とする請求項１に記載の画像処理方法。
【請求項３】  前記比較の結果、選択状態の画像の枚数が、選択パターンに対応する枚数を超えると場合に、その旨報知する情報を出力することを特徴とする請求項１に記載の画像処理方法。
【請求項４】  前記比較の結果、選択状態の画像の枚数が、選択パターンに対応する枚数に満たない場合に、不足枚数を報知する情報を出力することを特徴とする請求項１に記載の画像処理方法。
【請求項５】  前記パターンは、画像情報を配置するフレームとすることを特徴とする請求項１に記載の画像処理方法。
【請求項６】  前記判断する枚数は、選択パターンに配置すべき画像の枚数とすることを特徴とする請求項１に記載の画像処理方法。
【請求項７】  前記出力はアラート表示とすることを特徴とする請求項１に記載の画像処理方法。
【請求項８】  前記選択されたパターンに対応する画像と、選択状態の画像とを合成して一枚の画像データを生成し、
前記生成された画像データを表示することを特徴とする請求項１に記載の画像処理方法。
【請求項９】  前記選択されたパターンに対応する画像と、選択状態の画像とを合成して一枚の画像データを生成し、
前記生成された画像データを印字することを特徴とする請求項１に記載の画像処理方法。
【請求項１０】  前記印字はインクジェットプリンタにより行うことを特徴とする請求項９に記載の画像処理方法。
【請求項１１】  選択された画像データの中の所定領域の画像を切り取り、
前記切り取った画像に、異なる画像を重ねて出力することを特徴とする画像処理方法。
【請求項１２】  前記所定領域は、前記画像データを出力する領域に対して予め定めてある領域とすることを特徴とする請求項１１に記載の画像処理方法。
【請求項１３】  前記所定領域は、前記画像データを出力する領域より大きい領域とすることを特徴とする請求項１１に記載の画像処理方法。
【請求項１４】  前記画像の切り取りは、クリップ処理により行うことを特徴とする請求項１１に記載の画像処理方法。
【請求項１５】  前記切り取られた画像に重ねて出力する画像は、フレーム画像とすることを特徴とする請求項１１に記載の画像処理方法。
【請求項１６】  前記フレーム画像は、図形により構成されるものとすることを特徴とする請求項１１に記載の画像処理方法。
【請求項１７】  第１の画像を表示し、
第２の画像を前記第１の画像に重ねて表示し、
前記第２の画像を表示してから所定時間の経過を検知し、
前記所定時間の経過の検知に応じて第３の画像を表示することを特徴とする画像処理方法。
【請求項１８】  前記第２の画像は、前記第１の画像を囲むフレーム画像とすることを特徴とする請求項１７に記載の画像処理方法。
【請求項１９】  前記第３の画像は、前記第１の画像を囲むカレント表示枠とすることを特徴とする請求項１７に記載の画像処理方法。
【請求項２０】  予め定められた複数のパターンから選択されたパターンを識別する識別手段と、
前記識別された選択パターンに対応する枚数を判断する判断手段と、
画像の選択状態を識別する選択状態識別手段と、
前記識別された選択状態の画像の枚数と、前記判断された選択パターンに対応する枚数とを比較する比較手段と、
前記比較結果を出力する出力手段とを有することを特徴とする画像処理装置。
【請求項２１】  コンピュータにより読み取り可能な記憶媒体であって、
予め定められた複数のパターンから選択されたパターンを識別する為の制御プログラムと、
前記識別された選択パターンに対応する枚数を判断する為の制御プログラムと、
画像の選択状態を識別する為の制御プログラムと、
前記識別された選択状態の画像の枚数と、前記判断された選択パターンに対応する枚数とを比較する為の制御プログラムと、
前記比較結果を出力する為の制御プログラムとを記憶した記憶媒体。
【請求項２２】  コンピュータにより読み取り可能な記憶媒体であって、
選択された画像データの中の所定領域の画像を切り取る為の制御プログラムと、
前記切り取った画像に、異なる画像を重ねて出力する為の制御プログラムとを記憶した記憶媒体。
【請求項２３】  コンピュータにより読み取り可能な記憶媒体であって、
第１の画像を表示する為の制御プログラムと、
第２の画像を前記第１の画像に重ねて表示する為の制御プログラムと、
前記第２の画像を表示してから所定時間の経過を検知する為の制御プログラムと、
前記所定時間の経過の検知に応じて第３の画像を表示する為の制御プログラムとを記憶した記憶媒体。
【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  受光面板に入射した光によって電子を放出する光電面を有し、前記光電面から放出した電子を増倍させる電子増倍部を密封容器内に有し、前記電子増倍部で増倍させた電子に基づいて出力信号を送出するアノードをもった光電子増倍管において、
前記密封容器は、
前記電子増倍部及び前記アノードをステムピンを介して固定させるステム板と、
前記電子増倍部及び前記アノードを包囲すると共に、一側の開口端に前記ステム板を固定する金属製の側管と、
前記側管の他側の開口端に固定するガラス製の前記受光面板と、により形成され、
前記側管の前記他側の前記開口端には、前記受光面板に埋設させた突き刺し部が設けられていることを特徴とする光電子増倍管。
【請求項２】  前記突き刺し部の先端部分は、真っすぐに延びていることを特徴とする請求項１記載の光電子増倍管。
【請求項３】  前記突き刺し部の先端部分は、内側又は外側に曲げられていることを特徴とする請求項１記載の光電子増倍管。
【請求項４】  前記突き刺し部は、その先端をナイフエッジ状に尖らせていることを特徴とする請求項１〜３のいずれか一項記載の光電子増倍管。
【請求項５】  前記側管の下端の内壁面を金属製の前記ステム板の縁面に当接させて、金属製の前記側管と金属製の前記ステム板とを溶接したことを特徴とする請求項１〜４のいずれか一項記載の光電子増倍管。
【手続補正２】
【補正対象書類名】明細書
【補正対象項目名】０００５
【補正方法】変更
【補正の内容】
【０００５】
【課題を解決するための手段】
請求項１に係る本発明の光電子増倍管は、受光面板に入射した光によって電子を放出する光電面を有し、光電面から放出した電子を増倍させる電子増倍部を密封容器内に有し、電子増倍部で増倍させた電子に基づいて出力信号を送出するアノードをもった光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に固定するガラス製の受光面板と、により形成され、側管の他側の開口端には、受光面板に埋設させた突き刺し部が設けられていることを特徴とする。
【手続補正３】
【補正対象書類名】明細書
【補正対象項目名】００３２
【補正方法】変更
【補正の内容】
【００３２】
【発明の効果】
本発明による光電子増倍管は、以上のように構成されているため、次のような効果を得る。すなわち、受光面板に入射した光によって電子を放出する光電面を有し、光電面から放出した電子を増倍させる電子増倍部を密封容器内に有し、電子増倍部で増倍させた電子に基づいて出力信号を送出するアノードをもった光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に固定するガラス製の受光面板と、により形成され、側管の他側の開口端には、受光面板に埋設させた突き刺し部が設けられていることにより、受光面板の有効利用面積を大幅に向上させ、しかも、側管と受光面板との一体化を向上させて密封容器の気密性の向上を可能にした。
【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  バルブの外面に赤外線反射膜が形成されてなる赤外線反射膜付電球に対して、前記赤外線反射膜の成膜工程に要する温度と同等からこの赤外線反射膜電球の使用状態におけるバルブ温度までの間の温度で加熱を行った後に略室温までの急冷却を行い合い、前記赤外線反射膜に極微細クラックを形成することを特徴とする赤外線反射膜付電球。
【手続補正２】
【補正対象書類名】明細書
【補正対象項目名】０００６
【補正方法】変更
【補正の内容】
【０００６】
【課題を解決するための手段】
本発明は前記した従来の課題を解決するための具体的な手段として、バルブの外面に赤外線反射膜が形成されてなる赤外線反射膜付電球に対して、前記赤外線反射膜の成膜工程に要する温度と同等からこの赤外線反射膜電球の使用状態におけるバルブ温度までの間の温度で加熱を行った後に略室温までの急冷却を行い合い、前記赤外線反射膜に極微細クラックを形成することを特徴とする赤外線反射膜付電球を提供することで課題を解決するものである。
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】 電気パターンを有する電気基板と、
基台に対して固定部で固定され、上記固定部から互いに逆方向に延出して上記電気基板の電気パターンと接続する第１の接触子および第２の接触子を有する接触接片と、
を具備し、上記第１の接触子および第２の接触子は、略同一平面上かつ、同一直線上に並んで、上記電気パターン上の所定位置で各々接触することを特徴とする接片機構。
【請求項２】 複数の電気パターンを有する電気基板と、
基台に対して固定部で固定され、上記固定部から互いに逆方向に延出して上記電気基板の電気パターンと接続する第１の接触子および第２の接触子を有する接触接片と、
を具備し、上記第１の接触子および第２の接触子は、略同一平面上かつ、同一直線上に並んで、同一の上記電気パターン上の所定位置で各々接触するか、または、隣接する上記電気パターン上の所定位置で各々接触することを特徴とする接片機構。
【請求項３】 上記接触接片は、上記基台と共に移動し、上記第１の接触子および第２の接触子は、上記電気パターン上を摺動することを特徴とする請求項１、または、２記載の接片機構。
【手続補正２】
【補正対象書類名】明細書
【補正対象項目名】０００８
【補正方法】変更
【補正の内容】
【０００８】
【課題を解決するための手段】本発明の請求項１記載の接片機構は、電気パターンを有する電気基板と、基台に対して固定部で固定され、上記固定部から互いに逆方向に延出して上記電気基板の電気パターンと接続する第１の接触子および第２の接触子を有する接触接片とを具備し、上記第１の接触子および第２の接触子は、略同一平面上かつ、同一直線上に並んで、上記電気パターン上の所定位置で各々接触する。
【手続補正３】
【補正対象書類名】明細書
【補正対象項目名】０００９
【補正方法】変更
【補正の内容】
【０００９】
本発明の請求項２記載の接片機構は、複数の電気パターンを有する電気基板と、基台に対して固定部で固定され、上記固定部から互いに逆方向に延出して上記電気基板の電気パターンと接続する第１の接触子および第２の接触子を有する接触接片とを具備し、上記第１の接触子および第２の接触子は、略同一平面上かつ、同一直線上に並んで、同一の上記電気パターン上の所定位置で各々接触するか、または、隣接する上記電気パターン上の所定位置で各々接触する。
【手続補正４】
【補正対象書類名】明細書
【補正対象項目名】００１０
【補正方法】変更
【補正の内容】
【００１０】
本発明の請求項３記載の接片機構は、請求項１、または、２記載の接片機構において、上記接触接片が上記基台と共に移動し、上記第１の接触子および第２の接触子は、上記電気パターン上を摺動する。
【手続補正書】
【提出日】平成17年9月5日(2005.9.5)
【手続補正１】
【補正対象書類名】明細書
【補正対象項目名】０００２
【補正方法】変更
【補正の内容】
【０００２】
【従来の技術】
スポーツ中継等では、ビデオカメラによって撮影されたＡＶデータをすぐに編集して、編集後のデータを送出することが行われる。このような用途における編集作業には、複数台のＶＴＲ（ビデオテープレコーダ）、編集機、ビデオスイッチャー（イフェクター）、オーディオミキサ等の多くの機器が必要となる。
【手続補正２】
【補正対象書類名】明細書
【補正対象項目名】０００３
【補正方法】変更
【補正の内容】
【０００３】
図９は、上記の用途に用いられる編集システムの構成の一例を示したものである。この編集システムは、ビデオカメラ１１１によって撮影されたＡＶデータをビデオテープに記録するためのＶＴＲ１１２と、編集用の素材データとなるＡＶデータが記録されたビデオテープより、そのＡＶデータを再生するためのＶＴＲ１１３と、このＶＴＲ１１３によって再生されたＡＶデータを入力し、編集して、編集後のＡＶデータを出力する編集機１１４と、編集機１１４より出力される編集後のＡＶデータをビデオテープに記録するためＶＴＲ１１６とを備えている。
【手続補正３】
【補正対象書類名】図面
【補正対象項目名】図９
【補正方法】変更
【補正の内容】
【図９】
2000149410.tif 000001
【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】
複数のメモリセグメントに分割され、さらに複数のフラッシュメモリセルと、複数の奇数ワードラインと、複数の偶数ワードラインと、複数のビットラインと、複数のセグメント電源ラインから構成され、前記フラッシュメモリセルが複数の列と複数の列に配列され、それぞれのメモリセグメントが少なくとも１つの行を持ち、それぞれの前記複数のフラッシュメモリが制御ゲート、フローティングゲート、ドレインおよび電源を持ち、前記フローティングゲートが第１ポリシリコン層に形成され、前記制御ゲートが第２ポリシリコン層に形成され、前記複数の奇数ワードラインが前記第２ポリシリコン層に形成され、それぞれの奇数ワードラインが同じ奇数列におけるすべてのフラッシュメモリセルの制御ゲートに接続されており、前記複数の偶数ワードラインが前記第２ポリシリコン層に形成され、それぞれの偶数ワードラインが同じ奇数列におけるすべてのフラッシュメモリセルの制御ゲートに接続されており、隣の奇数ワードラインとワードラインペアを形成し、前記複数のビットラインが同じ行におけるすべてのフラッシュメモリのドレインに接続され、前記複数の電源ラインがそれぞれワードラインペアに対応し、前記複数のセグメント電源ラインは各メモリセグメントにあり、前記セグメント電源ラインが、メモリセグメント内のワードラインペアにおけるすべてのメモリセルの電源を一緒に連結して形成されており、少なくとも１つの電源セグメント制御トランジスタによって再びワードラインペアに関連する電源ラインに接続され、前記電源セグメント制御トランジスタには１つのゲートがあり、メモリセグメントの電源セグメント制御ラインへカップリングされており、前記電源セグメント制御ラインと前記電源セグメント制御トランジスタが第３ポリシリコン層に形成されていることを特徴とするフラッシュメモリ配列。
【請求項２】
前記第３ポリシリコン層が前記第２ポリシリコン層とは異なるポリシリコン層であることを特徴とする請求項１に記載のフラッシュメモリ回路。
【請求項３】
前記第３ポリシリコン層が前記第２ポリシリコン層の下方にあるポリシリコン層であることを特徴とする請求項１に記載のフラッシュメモリ回路。
【請求項４】
前記第３ポリシリコン層が前記第２ポリシリコン層の上方にあるポリシリコン層であることを特徴とする請求項１に記載のフラッシュメモリ回路。
【請求項５】
複数のメモリセグメントに分割され、さらに複数のフラッシュメモリセルと、複数の奇数ワードラインと、複数の偶数ワードラインと、複数のビットラインと、複数のセグメント電源ラインから構成され、前記フラッシュメモリセルが複数の列と複数の列に配列され、それぞれのメモリセグメントが少なくとも１つの行を持ち、それぞれの前記複数のフラッシュメモリが制御ゲート、フローティングゲート、ドレインおよび電源を持ち、前記フローティングゲートが第１ポリシリコン層に形成され、前記制御ゲートが第２ポリシリコン層に形成され、前記複数の奇数ワードラインが第２ポリシリコン層に形成されており、それぞれの奇数ワードラインがメモリセグメントにおいて同じ奇数列におけるすべてのフラッシュメモリセルの制御ゲートに接続されている複数の奇数ワードラインセグメントと、第１誘電層に形成されており、同じ奇数行における前記奇数ワードラインセグメントを接続し、奇数ワードラインを形成する複数のワードラインセグメントコネクタとから構成され、前記複数の偶数ワードラインが隣の奇数ワードラインとワードラインペアを形成し、前記第２ポリシリコン層に形成されており、それぞれの偶数ワードラインがメモリセグメントにおいて同じ偶数列におけるすべてのフラッシュメモリセルの制御ゲートに接続されている複数の偶数ワードラインセグメントと、第２誘電層に形成されており、同じ偶数行における前記偶数ワードラインセグメントを接続し、偶数ワードラインを形成する複数のワードラインセグメントコネクタとから構成され、前記複数のビットラインが同じ行におけるすべてのフラッシュメモリのドレインに接続され、前記複数の電源ラインがそれぞれワードラインペアに対応し、前記複数のセグメント電源ラインは各メモリセグメントにあり、前記セグメント電源ラインが、メモリセグメント内のワードラインペアにおけるすべてのメモリセルの電源を一緒に連結して形成されており、少なくとも１つの電源セグメント制御トランジスタによって再びワードラインペアに関連する電源ラインに接続され、前記電源セグメント制御トランジスタには１つのゲートがあり、メモリセグメントの電源セグメント制御ラインへカップリングされており、前記電源セグメント制御ラインと前記電源セグメント制御トランジスタが第２ポリシリコン層に形成されていることを特徴とするフラッシュメモリ配列。
【請求項６】
前記第１誘電層が前記第２ポリシリコン層とは異なるポリシリコンまたは金属層であることを特徴とする請求項５に記載のフラッシュメモリ配列。
【請求項７】
前記第２誘電層が前記第２ポリシリコン層とは異なるポリシリコンまたは金属層であることを特徴とする請求項５に記載のフラッシュメモリ配列。
【請求項８】
前記第１および２誘電層が第２ポリシリコン層とは異なる同じポリシリコンまたはメタル層であることを特徴とする請求項５に記載のフラッシュメモリ配列。
【請求項９】
同じ奇数列において奇数ワードラインセグメントを接続する前記ワードラインセグメントコネクターが、連続し、前記第１誘電層にコネクターラインを形成することを特徴とする請求項５に記載のフラッシュメモリ配列。
【請求項１０】
同じ偶数列において偶数ワードラインセグメントを接続する前記ワードラインセグメントコネクターが、連続し、前記第２誘電層にコネクターラインを形成することを特徴とする請求項５に記載のフラッシュメモリ配列。
【手続補正書】
【提出日】平成17年11月9日(2005.11.9)
【手続補正１】
【補正対象書類名】明細書
【補正対象項目名】００９４
【補正方法】変更
【補正の内容】
【００９４】
因みに、図９においては、第１のビデオトラック３５Ｃに対応して第１のオーディオトラック３５Ｇが直接編集可能トラックとして選択されていることにより、第１のビデオトラック３５Ｃに対する新たなクリップの挿入に応じて第１のオーディオトラック３５Ｇにおいても同様の挿入処理が実行され、新たなクリップの枠５２Ｅが挿入される。
【手続補正２】
【補正対象書類名】明細書
【補正対象項目名】０１６８
【補正方法】変更
【補正の内容】
【０１６８】
またオペレータがスライドトリムダイアログウィンドウ１１０のサイクル再生ボタン１１１Ｆをクリックすることにより、ＧＵＩは調整クリップのイン点又はアウト点を繰り返し再生する。
【手続補正３】
【補正対象書類名】明細書
【補正対象項目名】０１７９
【補正方法】変更
【補正の内容】
【０１７９】
またオペレータがスリップトリムダイアログウィンドウ１２０のサイクル再生ボタン１２１Ｆをクリックすることにより、ＧＵＩは調整クリップのイン点又はアウト点を繰り返し再生する。
【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】
入力信号に基づき、その真及び相補信号が出力されるバッファ回路と、該バッファ回路の出力信号に基づき解読されるデコーダ回路とを備え、
該バッファ回路及びデコーダ回路の少なくとも一方の回路が、制御端子に入力される制御信号の極性に応じてプリチャージ及び判定動作に制御され、入力端子に入力される入力信号に基づき、その真及び相補信号が出力される半導体論理回路を有し、
該デコーダ回路の該半導体論理回路が、その制御端子に複数の該バッファ回路のうちのいずれかのバッファ回路の上記真の出力信号が入力される組と、相補出力信号が入力される組とから成り、他のバッファ回路の出力信号が該デコーダ回路の該半導体論理回路の入力端子に入力されることを特徴とする半導体集積回路。
【請求項２】
上記デコーダ回路が、上記バッファ回路の出力信号に基づき解読される少なくとも１個のプリデコーダ回路と、該プリデコーダ回路の出力信号に基づき解読されるメインデコーダ回路とを備え、  
該プリデコーダ回路、及びメインデコーダ回路が、
（１）複数の該プリデコーダ回路の少なくともいずれかが上記半導体論理回路から成り、該プリデコーダ回路が該半導体論理回路の制御端子に複数の該バッファ回路のうちのいずれかのバッファ回路の上記真の出力信号が入力される組と、相補出力信号が入力される組とから成り、他のバッファ回路の出力信号が該プリデコーダ回路の半導体論理回路の入力端子に入力される構成、もしくは、
（２）該メインデコーダ回路が該半導体論理回路から成り、該半導体論理回路の制御端子に複数の該プリデコーダ回路のうちのいずれかのプリデコーダ回路の出力信号が入力される構成、
のいずれかであることを特徴とする請求項１記載の半導体回路。
【請求項３】
上記半導体論理回路の制御端子に入力される制御信号に基づき発生されるリセット信号により、該半導体論理回路の出力信号、或は次段回路のパルス幅を短縮する回路を有する請求項１記載の半導体集積回路。
【請求項４】
上記半導体論理回路の少なくともいずれかが、該半導体論理回路の入力端子に低振幅の入力信号が入力される請求項１記載の半導体集積回路。
【請求項５】
上記半導体論理回路は、
第１の電源端子と第１の結節点との間に設けられ上記制御信号で制御される第１の負荷と、該第１の電源端子と第２の結節点との間に設けられ該制御信号で制御される第２の負荷と、
該第１の結節点と第３の結節点との間に設けられ上記入力信号に応じて該第１の結節点と該第３の結節点とを電気的に接続する入力用論理回路と、
ソース・ドレイン経路が該第２の結節点と該第３の結節点との間に設けられゲートが該第１の結節点に接続される参照用電界効果トランジスタと、
該第３の結節点と第２の電源端子との間に設けられ該制御信号で制御される活性化回路から成る請求項１記載の半導体集積回路。
【請求項６】
上記半導体論理回路は、
ソース・ドレイン経路が上記第１の結節点と上記入力用論理回路との間に設けられゲートが上記第２の結節点に接続される第１の帰還用電界効果トランジスタと
、ソース・ドレイン経路が上記第２の結節点と上記参照用電界効果トランジスタとの間に設けられゲートが上記第１の結節点に接続される第２の帰還用電界効果トランジスタとを有する請求項５記載の半導体集積回路。
【請求項７】
上記半導体論理回路は、
上記第３の結節点に接続される上記入力用論理回路の端子が上記第２の電源端子に接続され、上記負荷が第１の制御信号で制御され、上記活性化回路が第２の制御信号で制御される請求項５記載の半導体集積回路。
【手続補正書】
【提出日】平成16年2月13日(2004.2.13)
【手続補正１】
【補正対象書類名】明細書
【補正対象項目名】発明の名称
【補正方法】変更
【補正の内容】
【発明の名称】プラズマディスプレイ蛍光体の検査装置および検査方法
【手続補正２】
【補正対象書類名】明細書
【補正対象項目名】特許請求の範囲
【補正方法】変更
【補正の内容】
【特許請求の範囲】
【請求項１】
プラズマディスプレイパネルの蛍光体塗布状態を検査する装置において、蛍光体にこれを発光させる紫外光を照射する照明手段と、蛍光体の発光状態を撮像する撮像手段と、前記撮像手段と前記蛍光体との間に配置され蛍光体の発光特性に合わせた特定の波長の光のみを撮像手段に向け通す複数種類のフィルタとを備えることを特徴とするプラズマディスプレイ蛍光体検査装置。
【請求項２】
照明手段は、２２０から２４０ｎｍの波長の紫外光を照射することを特徴とする請求項１に記載のプラズマディスプレイ蛍光体検査装置。
【請求項３】
複数種類フィルタは、５８０から６６０ｎｍの波長の光のみを通す第１のフィルタと、５００から５８０ｎｍの波長の光のみを通す第２のフィルタと、４００から５００ｎｍの波長の光のみを通す第３のフィルタとであることを特徴とする請求項１または２に記載のプラズマディスプレイ蛍光体検査装置。
【請求項４】
照明手段からの可視光が直接撮像手段に入射しないように可視光カットフィルタを備えることを特徴とする請求項１〜３のいずれかに記載のプラズマディスプレイ蛍光体検査装置。
【請求項５】
照明手段が、光源ランプから放射状に照射されている紫外光を反射により特定距離位置に集光させる反射ミラーを備えることを特徴とする請求項１〜４のいずれかに記載のプラズマディスプレイ蛍光体検査装置。
【請求項６】
照明手段からの紫外光を蛍光体に照射する箇所の雰囲気の酸素濃度を大気中の濃度より低下させる手段を備えることを特徴とする請求項１〜５のいずれかに記載のプラズマディスプレイ蛍光体検査装置。
【請求項７】
撮像手段が、ライン状に配置された受光素子を備え、撮像手段を受光素子の配置方向に直交する方向に相対的に移動させて蛍光体塗布状態を連続的に検査するものであって、受光素子からの入力信号に対して個別にしきい値処理を行う手段と、該しきい値処理により検出されたそのつながりの長さであるランレングスに基づいて欠陥の候補かどうかをチェックする手段を備えることを特徴とする請求項１〜６のいずれかに記載のプラズマディスプレイ蛍光体検査装置。
【請求項８】
欠陥の候補領域の圧縮データとしてランレングスとランの平均濃度を算出することを特徴とする請求項７記載のプラズマディスプレイ蛍光体検査装置。
【請求項９】
ディスプレイと、レビュー用カメラと、前記レビュー用カメラで撮像した欠陥部の画像をディスプレイに表示する手段を備えることを特徴とする請求項１〜８のいずれかに記載のプラズマディスプレイ蛍光体検査装置。
【請求項１０】
紫外光を照射してプラズマディスプレイパネルの蛍光体を発光させ、この蛍光体からの光を、蛍光体の発光特性に合わせた特定の波長の光のみを通すフィルタを介して、撮像手段により撮像して蛍光体塗布状態を検査することを特徴とするプラズマディスプレイ蛍光体検査方法。
【請求項１１】
蛍光体に照射される紫外光は、２２０から２４０ｎｍの波長であることを特徴とする請求項１０記載のプラズマディスプレイ蛍光体検査方法。
【請求項１２】
蛍光体の発光特性に合わせて３種類のフィルタを用い、３種類のフィルタは、５８０から６６０ｎｍの波長の光のみを通す第１のフィルタと、５００から５８０ｎｍの波長の光のみを通す第２のフィルタと、４００から５００ｎｍの波長の光のみを通す第３のフィルタであることを特徴とする請求項１０又は１１記載のプラズマディスプレイ蛍光体検査方法。
【請求項１３】
請求項１０〜１２のいずれかに記載のプラズマディスプレイ蛍光体検査方法を用いたことを特徴とするプラズマディスプレイの製造方法。
【手続補正３】
【補正対象書類名】明細書
【補正対象項目名】０００１
【補正方法】変更
【補正の内容】
【０００１】
【発明の属する技術分野】
本発明はプラズマディスプレイの蛍光体塗布工程における塗布状態の検査を画像処理により行うプラズマディスプレイ蛍光体の検査装置および検査方法に関するものである。


【手続補正４】
【補正対象書類名】明細書
【補正対象項目名】００１０
【補正方法】変更
【補正の内容】
【００１０】
本発明は上記従来の問題点を解決するもので、ＰＤＰの蛍光体の混色検査を信頼性高く、高速に行うプラズマディスプレイ蛍光体の検査装置および検査方法を提供するものである。


【手続補正５】
【補正対象書類名】明細書
【補正対象項目名】００１１
【補正方法】変更
【補正の内容】
【００１１】
【課題を解決するための手段】
この目的を達成するために本発明のは、蛍光体にこれを発光させる紫外光を照射する照明手段と、蛍光体の発光状態を撮像する撮像手段と、前記撮像手段と前記蛍光体との間に配置され蛍光体の発光特性に合わせた特定の波長の光のみを撮像手段に向け通す複数種類のフィルタとを備えることを特徴とする。


【手続補正６】
【補正対象書類名】明細書
【補正対象項目名】００３３
【補正方法】変更
【補正の内容】
【００３３】
【発明の効果】
以上のように本発明によれば、蛍光体発光色を感度よく画像化することによって微妙な混色も確実に検査を行うことができる。
【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】  
【請求項１】
溶接ワイヤを消耗電極とする先行トーチと後続トーチを継手部材の溶接線方向に所定の距離間隔で配置し、或いは同一トーチ内に所定の距離間隔で配備した先行ワイヤと後続ワイヤを溶接線方向に配置し、各々送給する２本のワイヤと継手部材の間に各々給電して発生させる２つのアークで１つの溶融プールを形成させてタンデムアーク溶接を行う制御方法において、
事前に設定された溶接開始位置より先行トーチ又は同一トーチ内の先行ワイヤにアークを発生させ、前記後続トーチ又は同一トーチ内の後続ワイヤが前記溶接開始位置に到達した地点かその近傍で、又はワイヤ距離間隔ＸT の走行後に前記後続ワイヤにアークを発生させることを特徴とするタンデムアーク溶接の制御方法。
【請求項２】
溶接ワイヤを消耗電極とする先行トーチと後続トーチを継手部材の溶接線方向に所定の距離間隔で配置し、或いは同一トーチ内に所定の距離間隔で配備した先行ワイヤと後続ワイヤを溶接線方向に配置し、各々送給する２本のワイヤと継手部材の間に各々給電して発生させる２つのアークで１つの溶融プールを形成させてタンデムアーク溶接を行う制御方法において、
事前に設定された溶接終了位置に前記先行ワイヤが到達した地点で、先行ワイヤ側のアーク電流・電圧を減少させた後に先行アークを停止させ、その後に、前記後続トーチ又は同一トーチ内の後続ワイヤが前記溶接終了位置に到達した地点かその近傍で、トーチ走行を停止させ、後続ワイヤ側のアーク電流・電圧を減少させて所定時間保持することを特徴とするタンデムアーク溶接の制御方法。
【請求項３】
請求項２において、
継手部材の溶接終了側で、事前に設定された溶接終了位置に前記先行ワイヤが到達した地点で、先行ワイヤ側のアーク電流・電圧を減少させた後にこの先行アークを停止して前記溶融プールを縮小させるようにしたことを特徴とするタンデムアーク溶接の制御方法。
【請求項４】
請求項２において、
前記溶融プールの縮小後に、後続ワイヤが前記溶接終了位置に到達した地点かその近傍で、トーチ走行を停止すると共に後続ワイヤ側のアーク電流・電圧を減少し保持させた後にこの後続アークを停止するようにしたことを特徴とするタンデムアーク溶接の制御方法。
【請求項５】
請求項１において、
前記先行ワイヤにアークを発生させる工程は、事前に設定された溶接開始位置より先行トーチ又は同一トーチ内の先行ワイヤに小電流・電圧のアークを発生させ、トーチ走行と同時か走行後に、その小電流アークから定常溶接の電流・電圧のアークに移行させることを特徴とするタンデムアーク溶接の制御方法。
【請求項６】
請求項１または５において、
前記後続ワイヤが前記溶接開始位置に到達した地点かその近傍で、又はワイヤ距離間隔ＸT の走行後に、前記後続ワイヤに小電流・電圧のアークを発生させ、その後に定常溶接の電流・電圧のアークに移行させることを特徴とするタンデムアーク溶接の制御方法。
【請求項７】
請求項５または６において、
前記定常溶接の電流・電圧のアークへ移行させた後に、前記後続ワイヤにより第二段階の１つの溶融プールを形成しながらアーク溶接を行うことを特徴とするタンデムアーク溶接の制御方法。
【請求項８】
請求項１または２において、
少なくとも前記後続ワイヤに溶接線左右方向ヘウィービング動作をさせてアーク溶接を行うことを特徴とするタンデムアーク溶接の制御方法。
【請求項９】
請求項８において、
前記後続ワイヤが前記溶接終了位置に到達した地点かその近傍で、前記ウィービング動作を停止し、かつトーチ走行を停止すると共に後続ワイヤ側のアーク電流・電圧を減少して保持させた後に後続アークを停止するようにしたことを特徴とするタンデムアーク溶接の制御方法。
【請求項１０】
請求項１または２において、
前記ワイヤはガスシールドの雰囲気内で送給されることを特徴とするタンデムアーク溶接の制御方法。
【請求項１１】
請求項１または２において、
前記継手部材はＶ開先，Ｕ開先，Ｉ開先，Ｙ開先の突合せ継手，すみ肉継手のいずれかであることを特徴とするタンデムアーク溶接の制御方法。
【請求項１２】
請求項１または２において、
前記タンデムアーク溶接は、１パス溶接又は多パス溶接であることを特徴とするタンデムアーク溶接の制御方法。
【請求項１３】
請求項１または２において、
センサ有無の溶接運転の選択機能を有し、センサ無し溶接運転では事前設定の位置情報，指令動作及び溶接条件の入力情報に基づきタンデムアーク溶接の溶接パス毎のアーク電流・アーク電圧の出力制御，トーチ走行の速度制御を行い、センサ有り溶接運転では事前設定の位置情報，指令動作及び溶接条件の入力情報及び先行ワイヤ近傍に設置されたアークセンサまたは視覚センサにより検出された検出情報に基づいて動作制御，溶接トーチ位置ずれの補正制御及び溶接条件の補正制御を行うことを特徴とするタンデムアーク溶接の制御方法。
【請求項１４】
溶接ワイヤを消耗電極とする先行トーチと後続トーチを継手部材の溶接線方向に所定の距離間隔で配置し、或いは同一トーチ内に所定の距離間隔で配備した先行ワイヤと後続ワイヤを溶接線方向に配置し、各々送給する２本のワイヤと継手部材の間に各々給電して発生させる２つのアークで１つの溶融プールを形成させてタンデムアーク溶接を行う溶接装置において、
事前に設定された溶接開始から終了までの位置情報，ワイヤ距離間隔の設定情報と、入力された１組以上の溶接始端条件，定常溶接条件，溶接終端条件及び指令動作の入力情報とに基づき、溶接開始から溶接終了に至るまで先行ワイヤ及び後続ワイヤの両方に必要なアーク電流・電圧の出力制御，トーチ走行の速度制御，選択時のウィービング動作の制御を行う制御装置を有することを特徴とするタンデムアーク溶接装置。
【請求項１５】
請求項１３において、
トーチ走行及び溶接動作が可能な据え付け型の溶接ロボット又は可搬移動型の溶接台車を有し、溶接開始から溶接終了に至るまでの動作制御及び溶接条件の出力制御を行う溶接プログラムにより制御されることを特徴とするタンデムアーク溶接装置。
【請求項１６】
請求項１３または１４において、
溶接中に検出するワイヤ位置ずれやアーク長の検出情報を検出する先行ワイヤ側に配備されたアークセンサ、又は位置ずれや開先形状寸法を検出する先行ワイヤ側に配備された視覚センサを有し、前記センサの検出情報に基づき、トーチ位置の補正制御、或いは該トーチ位置の補正制御と走行速度やウィービング幅の補正制御を溶接中に行うセンサ有り溶接運転用制御装置を有することを特徴とするタンデムアーク溶接装置。
【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】 被加工物の被加工面に対して紫外光を照射してその処理を行うための紫外光照射装置において、
前記被加工物を大気中で支承する基台と、
波長１７５ｎｍ以下の真空紫外光を、前記被加工物の被加工面に照射するための紫外光照射光源と、
前記被加工物の被加工面上方の大気中の空間に、不活性ガスを流入させる不活性ガス流入手段と、
を備え、
前記不活性ガス流入手段は、
前記紫外光照射光源の長手方向に沿う方向に延びるガス通路と、
前記ガス通路内に前記不活性ガスを供給する不活性ガス供給源と、
前記ガス通路に連通して該ガス通路内に導かれた前記不活性ガスを、前記空間に排出する前記ガス通路に沿って設けられた１又は複数の排気孔と、
を備えた紫外光照射装置。
【請求項２】 前記不活性ガスを、水蒸気と混合して前記空間に流入させた請求項１記載の紫外光照射装置。
【請求項３】 前記ガス通路及び前記１又は複数の排気孔が、前記紫外光照射光源による紫外光の照射範囲の両側に設置されている請求項１または２記載の紫外光照射装置。
【請求項４】 前記ガス通路及び前記１又は複数の排気孔が、前記紫外光照射光源の筐体に形成されている請求項１又は３記載の紫外光照射装置。
【請求項５】 前記ガス通路及び前記１又は複数の排気孔が、前記紫外光照射光源と前記基台の間に設置された管体に形成されている請求項１又は３記載の紫外光照射装置。
【請求項６】 前記不活性ガス流入手段における前記１又は複数の排気孔は、前記ガス通路に沿う方向における単位長さ当りの該１又は複数の排気孔からの前記不活性ガスの排出量が略一定となるよう、相互の間隔、大きさ又は形状を調整されている請求項１〜５の何れかに記載の紫外光照射装置。
【手続補正２】
【補正対象書類名】明細書
【補正対象項目名】００２９
【補正方法】変更
【補正の内容】
【００２９】
また、前記ガス通路及び前記１又は複数の排気孔は、前記紫外光照射光源の筐体に形成することができるし、また前記紫外光照射光源と前記基台の間に設置された管体に形成することができる。
【手続補正３】
【補正対象書類名】明細書
【補正対象項目名】００３８
【補正方法】変更
【補正の内容】
【００３８】
前記ランプハウジング１２は、キセノンエキシマランプ１１を内蔵した空間の内壁面に、反射ミラーを備える。反射ミラーは、キセノンエキシマランプ１１からの紫外光を反射して、該反射光を効率的に前記合成石英ガラス２１側に向ける。一つの実施例において、反射ミラーはアルミニウム製であり反射率を上げるための研磨がなされている。さらに反射率の経年劣化や腐食を防ぐためにはフッ化マクネシウムなどのフッ化物で反射ミラーの面をコーティングすることが望ましい。
【手続補正４】
【補正対象書類名】明細書
【補正対象項目名】００４０
【補正方法】変更
【補正の内容】
【００４０】
テーブル１３に対し、被加工物Ｔは人手又はロボットハンドにより載置される。テーブル１３は、被加工物Ｔが前記回転の際に、位置ずれを起こしたり落下したりしないよう突起その他のガイドで固定し、又は真空吸着によりこれを保持することができる。洗浄又は改質の効率を上げるためには、該テーブル１３に載置された被加工物Ｔの面とランプハウジング１２の下面との間隙は、小さいほうが好ましい。一つの実施形態においてこの距離は、３〜５ｍｍである。
【手続補正５】
【補正対象書類名】明細書
【補正対象項目名】００４２
【補正方法】変更
【補正の内容】
【００４２】
次に、前記構成の紫外光照射装置１０における被加工物Ｔの洗浄又は改質の手順について説明する。図２は、被加工物の洗浄又は改質の手順を示すフローチャートである。最初の工程２０１において、人手又はロボットハンドにより、テーブル１３上に被加工物Ｔが載置され、任意の固定手段（例えば、真空吸着）によって固定される。紫外光照射装置１０の設計において、被加工物Ｔの載置を容易にするために、ランプハウジング１２をテーブル１３に対して上方に移動できるよう構成することができる。次に、モータステージ１４内のモータを駆動して、所定の回転数で被加工物Ｔを回転させる（工程２０２）。好適な実施例において、この回転数は、１０〜６０ｒｐｍである。
【手続補正６】
【補正対象書類名】明細書
【補正対象項目名】００４７
【補正方法】変更
【補正の内容】
【００４７】
図４（Ａ）〜（Ｃ）は、前記ブロー管３４の他の設置態様を示している。同図（Ａ）及び（Ｂ）は、両ブロー管３４のノズル３６の向きをそれぞれ４５度又は９０度だけ、紫外光照射領域Ｓ側に傾けたものである。これによってノズル３６から噴出される不活性ガスが紫外光照射領域Ｓに集中し易くなる。この他にもブロー管３４の角度を任意に設定することができ、これによって、好適な不活性ガスの噴出角度を選択することが可能である。また、同図（Ｃ）に示すように、前記ブロー管３４は、被加工物Ｔの両面に対して同時に洗浄又は改質の処理を施すことが可能な紫外光照射装置においても設置可能である。
【手続補正７】
【補正対象書類名】明細書
【補正対象項目名】００５６
【補正方法】変更
【補正の内容】
【００５６】
【実施例】  以下に、図３に示した構成に従う紫外光照射装置を用いて、その表面が汚染されたシリコンウェーハを洗浄し、従来の紫外光照射装置による場合と比較した。
【手続補正８】
【補正対象書類名】明細書
【補正対象項目名】００６９
【補正方法】変更
【補正の内容】
【００６９】
最もαの高い条件は、本発明に従って窒素ガスと水蒸気の混合ガスを毎分２０リットルの量で流したときであり、α＝０．０６５であった。また、本発明に従って窒素ガスを毎分１０リットル流したときはα＝０．０５５であった。これらに対し従来の照射処理ではα＝０．０３２であった。したがって水蒸気と窒素の混合ガスを流すことで従来処理よリ２倍、窒素ガスを流すことで１．７倍の速度を得ることができた。
【手続補正９】
【補正対象書類名】明細書
【補正対象項目名】符号の説明
【補正方法】変更
【補正の内容】
【符号の説明】
Ｔ   被加工物
１０   紫外光照射装置
１１   キセノンエキシマランプ
１２   ランプハウジング
１２ａ   つば状部分
１３   テーブル
１４   モータステージ
１５   放電ガス
１６   冷却媒体
１７   金属電極
１８   電源
１９   光
２０   窒素ガス
２１   合成石英ガラス
２２   不活性ガス流入手段
２３   ガス通路
２４   ノズル
２５   ガス供給口
３０   紫外光照射装置
３１   キセノンエキシマランプ
３２   ランプハウジング
３３   不活性ガス流入手段
３４   ブロー管
３５   ガス通路
３６   ノズル
３７   ガス供給口
３８   モータステージ
３９   テーブル
１００   スリット
１１１   純水
１１２   通気瓶
１１３   管
１１４   排出管
１１５   ホットプレート
１１６   マスフローコントローラ
【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
ＣＰＵ（１４１）を有し遊技の制御を司る主制御部と、ＣＰＵ（１６１）を有し前記主制御部から送信されたコマンドデータに従って図柄表示装置を制御する図柄制御部とを備える弾球遊技機において、
前記主制御部の基盤及び前記図柄制御部の基盤には各々ポート部を備え、
前記主制御部のポート部は、パラレルインターフェースＩＣと、データバッファＩＣ（１７４ｂ）と、コネクタ（１７４ｃ）とを含んで構成され、
前記図柄制御部のポート部は、バッファ（１６４ａ）と、デコーダと、コネクタ（１６４ｃ）とを含んで構成され、
前記デコーダは、前記図柄制御部のＣＰＵ（１６１）及び前記バッファ（１６４ａ）に接続され、前記図柄制御部のＣＰＵ（１６１）の指示にしたがって前記バッファ（１６４ａ）からの前記コマンドデータの出力動作タイミングを制御し、
前記バッファ（１６４ａ）の入力側及び出力側には複数のコマンドラインからなるコマンドバスが接続されており、前記入力側のコマンドバスは前記コネクタ（１６４ｃ）と接続され、前記出力側のコマンドバスは前記図柄制御部のＣＰＵ（１６１）に接続され、
前記主制御部のポート部と、前記図柄制御部のポート部とは、ハーネスを介して接続されており、
前記主制御部のＣＰＵ（１４１）の指令により発生した前記コマンドデータは、前記パラレルインターフェースＩＣ、前記データバッファＩＣ（１７４ｂ）、前記コネクタ（１７４ｃ）を順に介して前記主制御部から出力され、前記ハーネスを介して前記図柄制御部に送られ、
前記図柄制御部のＣＰＵ（１６１）は、前記図柄制御部のポート部を中継した前記コマンドデータを受信して前記図柄表示装置を制御することで、前記主制御部から前記図柄制御部へ一方向の通信が行われることを特徴とする弾球遊技機。
【手続補正２】
【補正対象書類名】明細書
【補正対象項目名】０００５
【補正方法】変更
【補正の内容】
【０００５】
【課題を解決するための手段】
上記課題に鑑み、本発明の弾球遊技機は、ＣＰＵ（１４１）を有し遊技の制御を司る主制御部と、ＣＰＵ（１６１）を有し前記主制御部から送信されたコマンドデータに従って図柄表示装置を制御する図柄制御部とを備える弾球遊技機において、前記主制御部の基盤及び前記図柄制御部の基盤には各々ポート部を備え、前記主制御部のポート部は、パラレルインターフェースＩＣと、データバッファＩＣ（１７４ｂ）と、コネクタ（１７４ｃ）とを含んで構成され、前記図柄制御部のポート部は、バッファ（１６４ａ）と、デコーダと、コネクタ（１６４ｃ）とを含んで構成され、前記デコーダは、前記図柄制御部のＣＰＵ（１６１）及び前記バッファ（１６４ａ）に接続され、前記図柄制御部のＣＰＵ（１６１）の指示にしたがって前記バッファ（１６４ａ）からの前記コマンドデータの出力動作タイミングを制御し、前記バッファ（１６４ａ）の入力側及び出力側には複数のコマンドラインからなるコマンドバスが接続されており、前記入力側のコマンドバスは前記コネクタ（１６４ｃ）と接続され、前記出力側のコマンドバスは前記図柄制御部のＣＰＵ（１６１）に接続され、前記主制御部のポート部と、前記図柄制御部のポート部とは、ハーネスを介して接続されており、前記主制御部のＣＰＵ（１４１）の指令により発生した前記コマンドデータは、前記パラレルインターフェースＩＣ、前記データバッファＩＣ（１７４ｂ）、前記コネクタ（１７４ｃ）を順に介して前記主制御部から出力され、前記ハーネスを介して前記図柄制御部に送られ、前記図柄制御部のＣＰＵ（１６１）は、前記図柄制御部のポート部を中継した前記コマンドデータを受信して前記図柄表示装置を制御することで、前記主制御部から前記図柄制御部へ一方向の通信が行われることを特徴とする。
これにより、制御部の処理容量や構成に関わらず、ポート部の構成を共通化でき、配線構造に汎用性を持たせることで上記課題が達成される。また、制御部間の信号の送信方向が主制御部から図柄制御部への一方向に規制されているため、不正防止に寄与することが可能となる。上記主制御部は、遊技を司るものであり、代表的には、各種スイッチなどと端子基板を介して接続され、又、図柄制御部は、図柄表示装置（ＣＲＴ、液晶表示装置、７セグメントＬＥＤ表示器、ドットマトリクス表示器など）を制御するものである。主制御部と図柄制御部とは、代表的にはＩＣから構成され、それらのデータは一方向通信であることが特徴である。またポート部は、例示的にはバッファ、デコーダ等から構成され、バッファの入力側及び出力側に、複数のコマンドラインからなるコマンドバスが接続されているものが挙げられる。また、このポート部は、図柄制御部側の基盤に実装されるが、主制御部側でも良い。なお、主制御部及び図柄制御部の処理容量、具体的にはデータ語長（データバスの本数）は、８ビット、１６ビット、３２ビット、６４ビットなど、適宜設定可能である。主制御部の処理容量は、好適には、図柄制御部の処理容量より小さい場合が挙げられる。一例として、主制御部の処理容量が８ビット、図柄制御部の処理容量が３２ビットの場合が挙げられる。この場合には、８本のコマンドラインが３２本のデータバスのうちの８本のデータラインに接続されることになる。また、主制御部と図柄制御部とは単一のハーネスにより接続されて、その一端側が図柄制御部に接続され、他端側が主制御部に接続されている。したがって、両制御部間において信号を入力する等の不正を防止ないし抑制することが可能となる。
【手続補正書】
【提出日】平成16年3月8日(2004.3.8)
【手続補正１】
【補正対象書類名】明細書
【補正対象項目名】特許請求の範囲
【補正方法】変更
【補正の内容】
【特許請求の範囲】
【請求項１】
外部電源から電力を受けて遊技可能な状態となり、遊戯中に遊技者にとって利益を得やすい状態と利益を得にくい状態とに遊技状態が変更される遊技機において、
前記遊技状態を制御する遊技制御手段と、
前記遊技状態に関する情報が遊技中に入力されかつ前記外部電源の停電時に前記情報を記憶する遊技情報記憶手段と、
前記停電が解消してから所定期間が経過するまでの間は、遊技機を遊技不能な状態に強制する準備期間確保手段とを備え、
前記遊技制御手段は、前記所定期間が経過して前記準備期間確保手段による前記強制が解除されたときに、前記遊技情報記憶手段に記憶された情報に基づいて、遊技機を前記停電直前の遊技状態にすることを特徴とする遊技機。
【請求項２】
前記遊技制御手段には、前記外部電源の停電時に電力を供給するバックアップ電源が連ねられ、
前記準備期間確保手段は、前記停電から前記所定期間が経過するまでの間は、前記遊技制御手段をホールドすることを特徴とする請求項１記載の遊技機。
【請求項３】
前記遊技情報記憶手段は、不揮発性メモリであることを特徴とする請求項１又は２に記載の遊技機。
【請求項４】
前記遊技制御手段は、停電直前時におけるパチンコ球の発射用操作ハンドルの操作の有無に基づいて当該遊技機を停電直前の遊技状態に復帰させるか否かを制御することを特徴とする請求項１乃至請求項３いずれかに記載の遊技機。
【請求項５】
前記所定期間内における遊技不能な状態を、遊技者の操作に基づいて解除可能とする遊技再開スイッチが設けられていることを特徴とする請求項１乃至請求項４いずれかに記載の遊技機。
【手続補正２】
【補正対象書類名】明細書
【補正対象項目名】０００７
【補正方法】変更
【補正の内容】
【０００７】
請求項３の発明は、請求項１又は２に記載の遊技機において、遊技情報記憶手段は、不揮発性メモリであるところに特徴を有する。
また、請求項４の発明は、請求項１乃至請求項３いずれかに記載の遊技機において、遊技制御手段は、停電直前時におけるパチンコ球の発射用操作ハンドルの操作の有無に基づいて当該遊技機を停電直前の遊技状態に復帰させるか否かを制御するところに特徴を有する。
さらに、請求項５の発明は、請求項１乃至請求項４いずれかに記載の遊技機において、所定期間内における遊技不能な状態を、遊技者の操作に基づいて解除可能とする遊技再開スイッチが設けられているところに特徴を有する。
【手続補正３】
【補正対象書類名】明細書
【補正対象項目名】００１０
【補正方法】変更
【補正の内容】
【００１０】
＜請求項３の発明＞
遊技情報記憶手段は、不揮発性メモリであるから、バックアップ電源を要さずして、停電直前の遊技状態を停電時に記憶することができる。
＜請求項４の発明＞
停電が発生したときに、そのパチンコ機が遊技中であったか否かがハンドルの操作の有無を検出することによって判別され、遊技制御手段はその検出結果に基づいて当該パチンコ機が停電直前の遊技状態に復帰させるか否かを制御する。
＜請求項５の発明＞
所定期間内において遊技が不能となっている状況を、遊技者が遊技再開スイッチを操作することによって解除することができる。
【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
遊技機または遊技機に設けられる遊技動作装置を制御する制御信号を出力する遊技機の制御装置であって、
前記制御信号を検査データとして出力するために、信号出力端子を取り付け可能なデータ出力手段を備え、
前記信号出力端子を取り付ける端子取り付け部は、マスキング部材で保護されていることを特徴とする遊技機の制御装置。
【請求項２】
請求項１に記載の遊技機の制御装置において、
前記端子取り付け部は、基板上の配線パターンとして形成されていることを特徴とする遊技機の制御装置。
【請求項３】
請求項１または２に記載の遊技機の制御装置において、
前記マスキング部材の形状は、前記端子取り付け部の形状に対応していることを特徴とする遊技機の制御装置。
【請求項４】
請求項１〜３のいずれかに記載の遊技機の制御装置において、
前記マスキング部材は、透明部材で形成されていることを特徴とする遊技機の制御装置。
【請求項５】
請求項１〜４のいずれかに記載の遊技機の制御装置において、
前記マスキング部材は、絶縁部材で形成されていることを特徴とする遊技機の制御装置。
【請求項６】
請求項１〜５のいずれかに記載の遊技機の制御装置において、
前記端子取り付け部の近傍には、他の回路素子が実装されていないことを特徴とする遊技機の制御装置。
【手続補正２】
【補正対象書類名】明細書
【補正対象項目名】００２８
【補正方法】削除
【補正の内容】
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】